(57)【要約】      （修正有）【課題】ディスクとターンテーブルやクランバとの間に積層された、ゴミ，ホコリ，毛髪等塵芥のコロの作用によりすべりが発生し、ディスクの回転に異常が起こることで情報の読み書きエラーが生じるのを防ぐ。【解決手段】塵埃除去ディスク１はディスク面に粘着材を施して、ピックアップメカ内底部周辺およびターンテーブル６、クランバ８のディスクとの接触面７，９のゴミ，ホコリ，毛髪等塵芥５を粘着材に付着させて除去する。【選択図】図１
2008305489.tif 000002
【特許請求の範囲】
【請求項１】
ディスク面に粘着材を施すことにより、ターンテーブルやクランバとディスクとの接着面およびピックアップメカ内底部周辺のゴミ，ホコリ，毛髪等塵芥を除去するようにしたことを特徴とする塵芥除去ディスク。
【請求項２】
上記、ディスク裏面に放射状突起を装備したことを特徴とする請求項１記載の塵芥除去ディスク。
【発明の詳細な説明】
【技術分野】
【０００１】
本発明は、ディスク面に粘着材を塗布してピックアップメカ内底部周辺およびターンテーブルやクランバとディスクとの接触面のゴミ，ホコリ，毛髪等塵芥を該ディスクに付着させて除去しようとするものである。
【背景技術】
【０００２】
ピックアップメカ内部に塵芥が蓄積されると、ＣＤやＤＶＤ等の市販のディスクを挿入して再生あるいはダビング時に情報の読み書きエラーを生じる。特に高速ダビング時にディスクとターンテーブルやクランバの間に積層されたゴミ，ホコリ，毛髪等の塵芥によるコロの作用によりディスクにすべりが発生し、ディスクの回転に異常が起る。
【０００３】
ターンテーブルと該ターンテーブルに対向する反対側クランバにはさまれてディスクをスピンドルモーターで高速回転させることにより、再生あるいはダビングがなされるが、これらのターンテーブルやクランバに圧着積層されたゴミ，ホコリ，毛髪等塵芥（以下、「塵芥」という）のコロの作用によりすべりが発生する。そのすべりが原因で再生あるいはダビングのエラーが発生する。
【０００４】
通常、ディスクを装備するピックアップメカ内部には塵芥が外部より侵入しがたい構造の密閉型となっている。そのため、一旦、侵入した塵芥は排出されることがなくてピックアップメカ内底部周辺に蓄積される。
【０００５】
また、ディスクに塵芥が付着した状態で、ピックアップメカ内部に挿入、装着、起動すると、該塵芥はピックアップメカ内部へ払い落とされ、尚一層、内部に蓄積されることになる。
【０００６】
それに、蓄積された塵芥は、ディスクを装着するたびにターンテーブルやクランバとのディスク接触部に圧着蓄積され、該塵芥によりコロの作用が起り、ディスクがすべり、エラーが起る。
【０００７】
このディスクのすべりを止めるための方法として、特開昭６３−２０１９１６号「ディスク」公報には、摩擦係数をより大きくするため、ディスクの表面をやすりがけすることを特徴とするディスクが提供されている。
【０００８】
また、特開昭６２−２３９４３９号「ディスク状記録媒体」公報には、ターンテーブルと接触する部分を粗面にしたことが提供されている。
【０００９】
また、特開平９−１７１０２号「ディスク駆動装置および方法」公報には、ターンテーブル上のゴミをターンテーブル自身の回転によって除去する方法が開示されている。
【００１０】
また、特開２００３−３０９０２号「ディスク記録媒体」には、ブラシ，スポンジ，不織布を用いてレンズのクリーニング装置が提供されている。
【特許文献１】特開昭６３−２０１９１６号公報
【特許文献２】特開昭６２−２３９４３９号公報
【特許文献３】特開平９−１７１０２号公報
【特許文献４】特開２００３−３０９０２号公報
【発明の開示】
【発明が解決しようとする課題】
【００１１】
しかし、上記のようなターンテーブルとの接触部分のディスクをやすりがけとか、粗面にすることによりすべりを防止するための方法では、ターンテーブルおよびクランバの表面に傷をつけることにより、一般的に普及されているディスクを挿入すると、接触面積が傷の凹凸により小さくなり、尚一層のすべりが発生しやすくなる。そのため、逆に、一般的に普及されたディスクが使用できなくなる。また、ターンテーブルを単に回転のみによっては、ターンテーブルとディスクでの圧着積層された塵芥は振り落しにより除去することはできない。また、特開２００３−３０９０２号「ディスク記録媒体」に見られるクリーニングは、単にレンズをクリーニングするのみであり、ディスクのすべりを防止するものではない。
【００１２】
ピックアップメカ内底部周辺およびターンテーブルやクランバとディスクとのすべりを防止するために、摩擦抵抗を大きくするための接触部を粗面にするとか、侵入した塵芥がレンズに付着した塵芥をブラシ等でレンズのみをクリーニングする方法も開示されている。
【００１３】
しかし、これもレンズに付着した塵芥をピックアップメカ内底部周辺のレンズ以外の場所へ移動させるだけのものであり、ピックアップメカ内底部周辺の塵芥を除去したことにはならず、ディスクの回転により舞い上がった塵芥は、レンズに再付着することになるのである。
【００１４】
また、ターンテーブルやクランバ表面のディスクとの接触面に再付着し、圧着積層されてコロの作用によりすべりが発生し、正常な再生あるいはダビングができなくなるのである。
【００１５】
正常な再生，ダビングには塵芥は絶対的に大敵であり、塵芥の除去が必要であるが、ディスクトレーの出し入れ口からは掃除機の吸い込み口を差し込むことができず、また、布等で拭き取ることもできず、また、摩擦抵抗を大きくしてのすべり防止等も開示されているが、これ等も根本的に塵芥を除去することはできず、最終的には塵芥によるコロの作用でのすべりが発生し、再生あるいはダビング時のエラーが発生する。
【００１６】
一旦、すべりの発生が起りだすと、製造メーカーに分解、組立てでの修理依頼をして、塵芥の除去をするしか方法がなく、使用者自身が分解、組立てでの塵芥除去は構造が複雑なため、非常に困難である。
【００１７】
また、一旦、すべりの発生が起ってからの修理では、しばしばターンテーブルやクランバとディスクとの接触部表面にも傷の発生が生じているために、ターンテーブル，クランバの部品交換修理が必要になる。
【課題を解決するための手段】
【００１８】
ディスク面に粘着材を施すことにより、ターンテーブルやクランバとディスクとの接触面およびピックアップメカ内底部周辺の塵芥を除去するようにした塵芥除去ディスクである。
【００１９】
また、ディスク裏面に放射状突起を装備したことを特徴とする塵芥除去ディスクである。
【発明の効果】
【００２０】
本発明によれば、ターンテーブルやクランバに接するディスクとの接触部に粘着材を施しているので、圧着積層された塵芥を該粘着材に付着させて除去でき、ターンテーブルやクランバとディスクとの接触面に圧着積層された塵芥によってコロの作用でのディスクにすべりが発生するのを防止することができるようになった。
【００２１】
また、上記接触部以外のディスク面に粘着材を施し、これを高速回転することにより、該ピックアップメカ内部に浮遊する塵芥を該ディスク面に付着させ、除去することができるので、常にピックアップメカ内底部周辺を清楚な状況に保つことができる。
【００２２】
ピックアップメカ内底部周辺に塵芥のない清楚な状況に保つことによって、ターンテーブルやクランバとディスクとの接触部に圧着積層される塵芥のない清楚な状況のため、ターンテーブルやクランバとディスクとの接触部は確実に狭持することができ、すべりが発生しなくなった。
【００２３】
また、塵芥除去ディスクに放射状突起をつけ、該塵芥除去ディスクを回転させることにより、ピックアップメカ内底部周辺の塵芥は、除去ディスクの放射状突起による風圧によって舞い上がり、その舞い上がった塵芥を該塵芥除去ディスクの粘着材に付着させて除去し清楚な状況にできるようになった。
【００２４】
ピックアップメカ内底部周辺およびターンテーブルやクランバとディスクとの接触面に塵芥が除去されて、圧着積層によるコロの作用でのすべりおよびターンテーブル、クランバとの接触面の傷の発生がなくなり、新品同様の密着回転を復活させて、再生、ダビング時のエラーの発生を防止できるようになった。
【００２５】
そのため、塵芥除去ディスクでの定期的な塵芥除去を行なうことにより、ピックアップメカ内底部周辺およびターンテーブルやクランバとディスクとの接触面を、塵芥のない清楚な状況を容易に維持することができるようになった。
【００２６】
ピックアップメカ内底部周辺に蓄積およびターンテーブル表面と反対側のクランバの表面に圧着積層された塵芥が除去されることによって、再生あるいはダビング時のコロの作用によるすべりの発生を防止できるようになった。
【発明を実施するための最良の形態】
【００２７】
図１は、本発明によるゴミ，ホコリ，毛髪等の塵芥を除去する塵芥除去ディスクの設置概要を示す断面側面図で、図２は、塵芥除去ディスクの表面平面図である。同図において、１は、ゴミ，ホコリ，毛髪等の塵芥を除去する塵芥除去ディスクである。該塵芥除去ディスク１の表面１Ａには、クランバ８との接触部２と周縁部４に粘着材を施されている。
【００２８】
５は、ゴミ，ホコリ，毛髪等の塵芥で、該塵芥５は、ターンテーブル６、クランバ８あるいはピックアップメカ内部１３に浮遊している。塵芥５を除去するために、ディスク１をはさみ込むターンテーブル６の接触面７とクランバ８の接触面９にそれぞれ対向する塵芥除去ディスク１の表面１Ａの接触部２と裏面１Ｂの接触部３とに接着材を施しており、これら接触面７，8に付着している塵芥５を除去する。また、塵芥除去ディスク１の表面１Ａ，裏面１Ｂの周縁部４，１０の全面にも粘着材を施しており、該塵芥除去ディスク１が回転時に舞い上がったピックアップメカ内部１３の塵芥５も該塵芥除去ディスク１面の周縁部４，１０に施した粘着材に付着させて除去できるようにしたものである。
なお、本実施例では、塵芥除去ディスク１の表面１Ａおよび裏面１Ｂに粘着材を施したものを示したが、片面、例えば表面１Ａのみ、あるいは裏面１Ｂのみに施しても良い。
【００２９】
一方、ピックアップメカ内部１３での塵芥５の蓄積については、次のようなケースが考えられる。ダビングあるいは再生用の市販のディスクをセットし、ディスクトレー１４の出し入れ時に、該ディスクの表面に付着している塵芥５は、高速回転により、ピックアップメカ内部１３の底部周辺に振り払われて蓄積される。
【００３０】
また、寒暖による空気の対流（暖かい場所から寒い場所への移動やその逆）および本体機器の冷却ファンによる空気の対流により自然に侵入し蓄積される。
【００３１】
また、ピックアップメカ内部１３の底部周辺に蓄積された塵芥５が、再生、ダビング時に高速回転することによって、ディスクの空気の流れによって舞い上がる。その舞い上がった塵芥５は、ディスクの抜き取り後のターンテーブル６およびクランバ８のディスクとの接触面７，９に蓄積され、ディスクの挿入のたびに圧着積層される。
【００３２】
このように、圧着積層された塵芥５は、ターンテーブル６を高速回転させても、ターンテーブル６およびクランバ８のディスクとの接触面７，９に積層された塵芥５を振り落とすことはできない。これらの塵芥５は、塵芥除去ディスク１を装架することにより、該塵芥除去ディスク１に施した粘着材２，３に付着させて除去する。
【００３３】
ピックアップメカ内部１３の底部周辺に蓄積およびターンテーブル表面と反対側のクランバの表面に圧着積層された塵芥５が除去されることによって、再生あるいはダビング時のコロの作用によるすべりの発生を防止できるようにしたものである。
【実施例】
【００３４】
図３は、本発明による塵芥除去ディスク１の他の実施例を示す裏面平面図で、図４は、図３中のＹ−Ｙ線における断面側面図である。同図示のとおり、本実施例は、該塵芥除去ディスク１の裏面１Ｂに放射状に複数の羽状の突起１１を装備したものである。
【００３５】
該塵芥除去ディスク１をピックアップに装備し作動すると、ピックアップメカ内部１３の底部周辺に蓄積された塵芥５は、塵芥除去ディスク１の裏面１Ｂの突起１１による内側から外側への風の流れによる風圧で舞い上がる。
【００３６】
その舞い上がった塵芥５を塵芥除去ディスク１の表面１Ａの接触部２，周縁部４に塗布した粘着材および裏面１Ｂの接触部３，周縁部１０に塗布した粘着材に付着されて除去することによってピックアップメカ内部１３の底部周辺やターンテーブル６やクランバ８のディスクの接触部７，９周辺に塵芥５のない清楚な状況に容易に維持できる。
【００３７】
上記、突起１１は円弧状のものを示したが、技術的思想を同じくするものであれば直線状、屈曲状、螺旋状のようなものであっても良いことは言うまでもない。
【００３８】
上記、塵芥除去ディスク１は、ＣＤプレーヤー、ＤＶＤプレーヤー、ＤＶＤレコーダー、ＰＣ、ゲーム機器等、多種多様の塵芥除去に適用できることは言うまでもない。
【図面の簡単な説明】
【００３９】
【図１】本発明によるゴミ，ホコリ，毛髪等の塵芥除去ディスクを設置した状態を示す概略説明図である。
【図２】本発明による塵芥除去ディスクを示す表面平面図である。
【図３】本発明による塵芥除去ディスクの他の実施例を示す裏面平面図である。
【図４】図３中のＹ−Ｙ線における断面側面図である。
【符号の説明】
【００４０】
１    塵芥除去ディスク
１Ａ  表面
１Ｂ  裏面
２    接触部
３    接触部
４    周縁部
５    塵芥
６    ターンテーブル
７    接触面
８    クランバ
９    接触面
１０  周縁部
１１  突起
１２  スピンドルモーター
１３  ピックアップメカ内部
１４  ディスクトレー
【図１】
2008305489.tif 000003
【図２】
2008305489.tif 000004
【図３】
2008305489.tif 000005
【図４】
2008305489.tif 000006